(57)【要約】本発明は、情報配信機器より配信された情報を情報出力機器で出力する情報配信システムにおいて、情報出力機器で出力される情報の変更作業を簡易かつ短時間で実行し得る情報配信システムを得ることを目的とする。そして、上記目的を達成するために、利用者に提供する提供情報を出力する出力機器（１０）と、予め準備されている複数の情報の中から選択した一の情報を提供情報として出力機器（１０）に配信する配信機器（１１）と、通信回線を介して配信機器（１１）に接続され、複数の情報の中から提供情報を選択するための制御信号を、通信回線を介して配信機器（１１）に入力する入力機器（１２）とによって、情報配信システムを構成している。
2002033861.tif 000002
【特許請求の範囲】
【請求項１】
利用者に提供する提供情報を出力する出力機器（１０）と、
予め準備されている複数の情報の中から選択した一の情報を前記提供情報として前記出力機器（１０）に配信する配信機器（１１，１４，１６，１８）と、
通信回線を介して前記配信機器（１１，１４，１６，１８）に接続され、前記複数の情報の中から前記提供情報を選択するための制御信号を、前記通信回線を介して前記配信機器（１１，１４，１６，１８）に入力する入力機器（１２，１３，１５，１７）と
を備える情報配信システム。
【請求項２】
前記入力機器（１２，１３，１５，１７）は前記利用者が操作可能であることを特徴とする、請求項１に記載の情報配信システム。
【請求項３】
前記入力機器（１３）は、前記複数の情報とは異なる別情報を入力可能な情報入力部（４０２）を有し、
前記別情報は、前記情報入力部（４０２）から前記通信回線を介して前記配信機器（１１）に送信されることを特徴とする、請求項１に記載の情報配信システム。
【請求項４】
前記配信機器（１４，１６）は、前記配信機器（１４，１６）内部の正常／異常状態を示す状態情報を出力する出力部（２０３）を有し、
前記入力機器（１５，１７）は、前記通信回線を介して前記出力部（２０３）から送信されてきた前記状態情報を表示する状態情報表示部（４０３）を有することを特徴とする、請求項１に記載の情報配信システム。
【請求項５】
前記通信回線は電話回線であることを特徴とする、請求項４に記載の情報配信システム。
【請求項６】
前記状態情報は、前記電話回線における呼び出しベルの呼び出しパターンとして前記入力機器（１７）に入力されることを特徴とする、請求項５に記載の情報配信システム。
【請求項７】
前記通信回線は電話回線であることを特徴とする、請求項１に記載の情報配信システム。
【請求項８】
前記制御信号は、前記電話回線における呼び出しベルの呼び出しパターンとして前記配信機器（１６，１８）に入力されることを特徴とする、請求項７に記載の情報配信システム。
【請求項９】
前記配信機器（１８）は、
前記呼び出しベルの呼び出し音を集音するマイク（６５１）と、
前記マイク（６５１）によって集音された前記呼び出しベルの前記呼び出しパターンを解析する解析部（２０６）と
を有することを特徴とする、請求項８に記載の情報配信システム。
【発明の詳細な説明】
技術分野
本発明は、情報配信機器より配信された情報を情報出力機器で出力する情報配信システムに関し、特に、列車の車内等で乗客に情報を提供するために使用される情報配信システムに関する。
背景技術
従来、鉄道の駅、バスの停留所、あるいは空港等における利用者への各種情報の提供は、ポスターを用いて、あるいはアナウンスによって行われることが多かった。ところが、近年におけるコンピュータシステム及び映像システムの発達によって、上記各種情報を、これらのシステムを用いた映像情報や音声情報として、利用者に提供することが可能となった。
第６図は、従来の情報表示システムの構成を示すブロック図である（日本国特許公報第２５６９０２５号参照）。第６図を参照して、従来の情報表示システムは、制御部９００と、制御部９００によって制御されるディスプレイ装置９４１及びディスプレイ装置付き券売機９４２とを備えている。制御部９００は、画像伝送路９５２、データ伝送路９５１、通信制御装置９１１、制御用計算機９０１、制御用通信路９１２、キーボード９０２、モニタ９０３、固定ディスク９０４、プリンタ９０５、制御装置９２１，９２３、画像メモリ９２５、ビデオテープレコーダ９２２、ビデオディスク９２４、ビデオ信号変換装置９２６、及び信号切換装置９３１を有している。制御部９００は、鉄道の各駅に設置されている。また、ディスプレイ装置付き券売機９４２は、駅の券売所に設置されており、ディスプレイ装置９４１は、列車の客車内や駅のプラットホームに設置されている。
次に、第６図に示した従来の情報表示システムの動作について説明する。ビデオテープレコーダ９２２、ビデオディスク９２４、及び画像メモリ９２５には、利用者に提供する各種画像が予め記録されている。制御用計算機９０１は、この情報表示システムの管理者（情報提供者）によってキーボード９０２から入力された制御命令に基づいて、制御装置９２１，９２３や信号切換装置９３１等の動作を制御する。これにより、ビデオテープレコーダ９２２、ビデオディスク９２４、及び画像メモリ９２５にそれぞれ記録されている画像、あるいは画像伝送路９５２を介して外部から送られてきた画像が、信号切換装置９３１によるチャンネル切換動作によって、ディスプレイ装置９４１及びディスプレイ装置付き券売機９４２に表示され、利用者に提供される。
しかしながら、図６に示した従来の情報表示システムによると、ディスプレイ装置９４１やディスプレイ装置付き券売機９４２に表示される情報の変更は、制御部９００において情報提供者のみしか行うことができない。従って、緊急時等のように利用者へ提供する情報の変更が早急に必要な場合であっても、利用者等からの通報を受けた情報提供者が、制御部９００において、キーボード９０２の操作により信号切換装置９３１を制御したり、ビデオテープレコーダ９２２等の交換を行うことによって、情報の変更作業を行わなければならず、情報の変更に長時間を要するという問題点があった。
発明の開示
本発明は、上記のような問題点を解決し、ディスプレイ装置等に表示される情報の変更作業を簡易かつ短時間で実行し得る情報配信システムを得ることを目的とする。
本発明に係る情報配信システムの第１の態様は、利用者に提供する提供情報を出力する出力機器と、複数の情報の中から選択した一の情報を提供情報として出力機器に配信する配信機器と、通信回線を介して配信機器に接続され、複数の情報の中から提供情報を選択するための制御信号を、通信回線を介して配信機器に入力する入力機器とを備える情報配信システムとしている。
本発明に係る情報配信システムの第１の態様によれば、通信回線を介して配信機器に接続された入力機器によって、配信機器における提供情報の選択動作を遠隔操作で制御することができる。
本発明に係る情報配信システムの第２の態様は、第１の態様において、入力機器は利用者が操作可能であることを特徴としている。
本発明に係る情報配信システムの第２の態様によれば、利用者が入力機器を操作することにより、利用者は、必要とする情報を即座に入手することができる。
本発明に係る情報配信システムの第３の態様は、第１の態様において、入力機器は、複数の情報とは異なる別情報を入力可能な情報入力部を有し、別情報は、情報入力部から通信回線を介して配信機器に送信されることを特徴としている。
本発明に係る情報配信システムの第３の態様によれば、別情報を情報入力部に入力することにより、配信機器内に準備されている情報を、遠隔操作で更新することができる
本発明に係る情報配信システムの第４の態様は、第１の態様において、配信機器は、配信機器内部の正常／異常状態を示す状態情報を出力する出力部を有し、入力機器は、通信回線を介して出力部から送信されてきた状態情報を表示する状態情報表示部を有することを特徴としている。
本発明に係る情報配信システムの第４の態様によれば、配信機器の故障を、入力機器の有する状態情報表示部において確認することができる。
本発明に係る情報配信システムの第５の態様は、第４の態様において、通信回線は電話回線であることを特徴としている。
本発明に係る情報配信システムの第５の態様によれば、既存の電話回線を利用した簡易な構成によって、情報配信システムを構築することができる。
本発明に係る情報配信システムの第６の態様は、第５の態様において、状態情報は、電話回線における呼び出しベルの呼び出しパターンとして入力機器に入力されることを特徴としている。
本発明に係る情報配信システムの第６の態様によれば、通信費を削減することができる。
本発明に係る情報配信システムの第７の態様は、第１の態様において、通信回線は電話回線であることを特徴としている。
本発明に係る情報配信システムの第７の態様によれば、既存の電話回線を利用した簡易な構成によって、情報配信システムを構築することができる。
本発明に係る情報配信システムの第８の態様は、第７の態様において、制御信号は、電話回線における呼び出しベルの呼び出しパターンとして配信機器に入力されることを特徴としている。
本発明に係る情報配信システムの第８の態様によれば、通信費を削減することができる。
本発明に係る情報配信システムの第９の態様は、第８の態様において、配信機器は、呼び出しベルの呼び出し音を集音するマイクと、マイクによって集音された呼び出しベルの呼び出しパターンを解析する解析部とを有することを特徴としている。
本発明に係る情報配信システムの第９の態様によれば、入力機器として既存の電話機を利用することができるため、システム全体としてコストの低減を図ることができる。
この発明の目的、特徴、局面、及び利点は、以下の詳細な説明と添付図面とによって、より明白となる。
発明を実施するための最良の形態
以下、列車の乗客に情報を提供する場合を例にとり、本発明に係る情報配信システムについて説明する。
１．実施の形態１
第１図は、本発明の実施の形態１に係る情報配信システムの構成を示すブロック図である。第１図を参照して、本実施の形態１に係る情報配信システムは、複数の情報出力機器１０と、情報提供者が操作可能であり、乗客である利用者に提供する情報を上記複数の情報出力機器１０へ配信する情報配信機器１１と、有線又は無線の通信回線を介して情報配信機器１１に接続された入力機器１２と、情報出力機器１０と情報配信機器１１とを互いに接続する情報伝送路５００とを備えている。情報出力機器１０は例えば列車の客車内に設置されており、情報配信機器１１は例えば列車の運転室内に設置されている。また、入力機器１２は、列車の客車内や鉄道の各駅、あるいは列車の運行を統括して管理する中央司令室に設置されている。なお、以下の説明においては、入力機器１２は列車の客車内に設置されているものとする。
入力機器１２は、利用者（列車内の乗務員を含む）が操作可能であり、任意の入力装置の操作によって必要なデータの入力が可能な入力部４０１と、入力部４０１の出力に接続され、入力部４０１から信号Ｓ１０を入力して、情報配信機器１１へ制御信号Ｓ１１を送信する入力処理部４００とを有している。
情報配信機器１１は、入力処理部４００から送信されてきた制御信号Ｓ１１を受信してその内容を解析する制御信号受信部２０６と、情報出力機器１０で表示・再生される映像・音声の複数の情報（ここでは、情報Ａ及び情報Ｂとする）を記憶する情報記憶部２０２と、情報記憶部２０２の出力に接続され、情報記憶部２０２から入力された信号Ｓ４を復号する情報復号部２０１とを有している。情報配信機器１１の制御信号受信部２０６と、入力機器１２の入力処理部４００とは、有線又は無線の通信回線を介して互いに接続されている。
また、情報配信機器１１は、情報提供者が操作可能な入力部２０４と、入力部２０４及び制御信号受信部２０６の各出力に接続された制御部２０３とを有している。さらに、情報配信機器１１は、情報復号部２０１の出力及び情報伝送路５００に接続され、情報復号部２０１から入力された信号Ｓ５を所定の形式の伝送信号Ｓ６に変換して情報伝送路５００に伝達する伝送信号変調部２００を有している。伝送信号変調部２００、情報復号部２０１、情報記憶部２０２、及び制御信号受信部２０６のそれぞれの動作は、いずれも制御部２０３によって制御されている。
情報出力機器１０は、情報伝送路５００に接続され、情報伝送路５００を介して情報配信機器１１から送られてきた伝送信号Ｓ６を映像信号Ｓ７と音声信号Ｓ８とに復調して出力する伝送信号復調部１０２と、いずれも伝送信号復調部１０２の出力に接続され、それぞれ伝送信号復調部１０２から入力した映像信号Ｓ７及び音声信号Ｓ８に基づいて利用者に映像情報・音声情報を提供するディスプレイモニタ１００及びスピーカ１０１とを有している。
以下、情報Ａに関する映像・音声がディスプレイモニタ１００及びスピーカ１０１に表示・再生されている場合を想定して、第１図に示した本実施の形態１に係る情報配信システムの動作について説明する。この場合、情報配信機器１１の有する入力部２０４には、利用者に情報Ａを提供する旨を表す信号Ｓ１が、情報提供者によって入力されている。また、制御部２０３には入力部２０４から信号Ｓ２が入力されている。このときの信号Ｓ２は、利用者に情報Ａを提供する旨を表す信号である。また、情報記憶部２０２には、制御部２０３から信号Ｓ３が入力されている。このときの信号Ｓ３は、情報Ａの出力命令を表す信号である。また、情報復号部２０１には、情報記憶部２０２から信号Ｓ４が入力されている。このときの信号Ｓ４は、情報Ａに関する映像・音声信号である。また、伝送信号変調部２００には、情報復号部２０１から信号Ｓ５が入力されている。このときの信号Ｓ５は、情報復号部２０１によって復号された、情報Ａに関する映像・音声信号である。
また、情報出力機器１０の有する伝送信号復調部１０２には、情報伝送路５００を介して、伝送信号変調部２００から伝送信号Ｓ６が入力されている。このときの伝送信号Ｓ６は、伝送信号変調部２００によって変調された、情報Ａに関する映像・音声信号である。また、ディスプレイモニタ１００には、伝送信号復調部１０２から映像信号Ｓ７が入力されている。このときの映像信号Ｓ７は、伝送信号復調部１０２によって復調された、情報Ａに関する映像信号である。これにより、ディスプレイモニタ１００には、情報Ａに関する映像が表示されている。また、スピーカ１０１には、伝送信号復調部１０２から音声信号Ｓ８が入力されている。このときの音声信号Ｓ８は、伝送信号復調部１０２によって復調された、情報Ａに関する音声信号である。これにより、スピーカ１０１からは、情報Ａに関する音声が再生されている。
以上のように情報Ａに関する映像・音声がディスプレイモニタ１００及びスピーカ１０１に表示・再生されている状況において、利用者が情報Ａとは異なる情報Ｂの提供を希望した場合の動作を以下に説明する。利用者は、入力機器１２の有する入力部４０１に、情報Ｂの提供を希望する旨を表す信号Ｓ９を入力する。入力部４０１は信号Ｓ９を受けて、提供する情報を情報Ｂに切り換える旨を表す信号Ｓ１０を出力する。入力処理部４００は、入力部４０１から信号Ｓ１０を入力し、提供する情報を情報Ｂに切り換える旨を表す、通信可能な所定形式の制御信号Ｓ１１に変換して送信する。
情報配信機器１１の有する制御信号受信部２０６は、入力処理部４００から通信回線を介して制御信号Ｓ１１を受信する。そして、受信した制御信号Ｓ１１の内容を解析することにより、「制御信号Ｓ１１は、提供する情報を情報Ｂに切り換える旨を表す信号である」と判断する。そしてその判断の結果を、信号Ｓ１２として出力する。制御部２０３は、制御信号受信部２０６から信号Ｓ１２を入力する。そして、信号Ｓ１２の記述内容に基づいて、信号Ｓ３を出力する。このときの信号Ｓ３は、情報Ｂの出力命令を表す信号である。
情報記憶部２０２は、制御部２０３から信号Ｓ３を入力し、信号Ｓ３の記述内容に基づいて、信号Ｓ４を出力する。情報復号部２０１は、情報記憶部２０２から信号Ｓ４を入力し、復号して信号Ｓ５として出力する。伝送信号変調部２００は、情報復号部２０１から信号Ｓ５を入力し、伝送信号Ｓ６に変調して出力する。このときの伝送信号Ｓ４〜Ｓ６は、いずれも情報Ｂに関する映像・音声信号である。
情報出力機器１０の有する伝送信号復調部１０２は、情報伝送路５００を介して、伝送信号変調部２００から伝送信号Ｓ６を入力する。そして、伝送信号Ｓ６を映像信号Ｓ７及び音声信号Ｓ８に復調して出力する。このときの映像信号Ｓ７及び音声信号Ｓ８は、それぞれ情報Ｂに関する映像信号及び音声信号である。ディスプレイモニタ１００及びスピーカ１０１は、伝送信号復調部１０２からそれぞれ映像信号Ｓ７及び音声信号Ｓ８を入力する。これにより、ディスプレイモニタ１００には情報Ｂに関する映像が表示され、スピーカ１０１からは情報Ｂに関する音声が再生される。
このように本実施の形態１に係る情報配信システムによれば、有線又は無線の通信回線を介して情報配信機器１１と接続された入力機器１２を備え、入力機器１２による遠隔操作によって情報配信機器１１を制御することにより、情報出力機器１０で利用者に提供される情報が変更される。従って、利用者に提供される情報の変更作業を簡易かつ短時間で実行し得る情報配信システムを得ることができる。
２．実施の形態２
第２図は、本発明の実施の形態２に係る情報配信システムの構成を示すブロック図である。入力機器１３は、上記実施の形態１と同様の入力部４０１と、利用者が操作可能であり、任意の画像・音声情報を入力可能な情報入力部４０２と、入力部４０１及び情報入力部４０２の各出力に接続された入力処理部４００とを有している。本実施の形態２に係る情報配信システムのその他の構成は、図１に示した上記実施の形態１に係る情報配信システムの構成と同様である。
以下、上記実施の形態１に係る情報配信システムとの相違点を中心として、第２図に示した本実施の形態２に係る情報配信システムの動作について説明する。利用者は、任意の画像・音声情報Ｓ２０を情報入力部４０２に入力する。情報入力部４０２は、入力された画像・音声情報Ｓ２０に基づいて、画像・音声データ信号Ｓ２１を生成して出力する。入力処理部４００は、情報入力部４０２から画像・音声データ信号Ｓ２１を入力し、通信可能な所定形式のデータ信号Ｓ２２に変換して送信する。
情報配信機器１１の有する制御信号受信部２０６は、通信回線を介して入力処理部４００からデータ信号Ｓ２２を受信する。そして、受信したデータ信号Ｓ２２を画像・音声データＳ２３に変換して出力する。制御部２０３は、制御信号受信部２０６から画像・音声データ信号Ｓ２３を入力する。そして、画像・音声データ信号Ｓ２４として情報記憶部２０２に伝送する。情報記憶部２０２は、制御部２０３から伝送されてきた画像・音声データ信号Ｓ２４を記憶する。情報記憶部２０２に記憶された画像・音声データ信号Ｓ２４に関する画像・音声情報は、上記実施の形態１と同様の動作により、情報出力機器１０のディスプレイモニタ１００及びスピーカ１０１で表示・再生され、利用者に提供される。
このように本実施の形態２に係る情報配信システムによれば、入力機器１３が有する情報入力部４０２へ画像・音声情報を入力することにより、その画像・音声情報は情報配信機器１１へ送信され、情報配信機器１１が有する情報記憶部２０２の記憶内容が更新される。即ち、入力機器１３による遠隔操作によって、情報記憶部２０２の記憶内容を更新できるため、情報出力機器１０によって利用者に提供される情報の更新作業を、簡易かつ短時間で実行することができる。
３．実施の形態３
第３図は、本発明の実施の形態３に係る情報配信システムの構成を示すブロック図である。情報配信機器１４の伝送信号変調部２００、情報復号部２０１、及び情報記憶部２０２は、それぞれ自らの正常又は異常状態を示す状態情報信号Ｓ３１，Ｓ３２，Ｓ３３を出力しており、この状態情報信号Ｓ３１，Ｓ３２，Ｓ３３は、制御部２０３に入力されている。また、入力機器１５は、入力処理部４００の出力に接続された状態情報表示部４０３を有している。本実施の形態３に係る情報配システムのその他の構成は、図１に示した上記実施の形態１に係る情報配信システムの構成と同様である。
以下、上記実施の形態１に係る情報配信システムとの相違点を中心として、第３図に示した本実施の形態３に係る情報配信システムの動作について説明する。伝送信号変調部２００、情報復号部２０１、及び情報記憶部２０２は、それぞれ自らの状態を常に監視し、自らが正常状態であるか異常状態であるかを示す状態情報信号Ｓ３１，Ｓ３２，Ｓ３３をそれぞれ出力する。制御部２０３は、伝送信号変調部２００、情報復号部２０１、及び情報記憶部２０２から、状態情報信号Ｓ３１，Ｓ３２，Ｓ３３をそれぞれ入力する。また、制御部２０３は、自らが正常状態であるか異常状態であるかを常に監視する。そして、制御部２０３は、伝送信号変調部２００、情報復号部２０１、情報記憶部２０２、及び自らの状態を示す状態情報信号Ｓ３４を生成して出力する。即ち、制御部２０３は、情報配信機器１４内部の正常／異常状態を示す状態情報信号Ｓ３４を出力する出力部としての機能を有する。
制御信号受信部２０６は、制御部２０３から状態情報信号Ｓ３４を入力し、通信可能な所定形式の状態情報信号Ｓ３５に変換して送信する。入力機器１５の有する入力処理部４００は、通信回線を介して制御信号受信部２０６から状態情報信号Ｓ３５を受信する。そして、状態情報信号Ｓ３６として出力する。状態情報表示部４０３は、入力処理部４００から状態情報信号Ｓ３６を入力し、伝送信号変調部２００、情報復号部２０１、情報記憶部２０２、及び制御部２０３がそれぞれ正常状態であるか異常状態であるかを表示する。状態情報表示部４０３で表示された情報は、利用者に提供される。
なお、以上の説明では、図１に示した上記実施の形態１に係る情報配信システムを基礎として本実施の形態３に係る発明を適用する場合について説明したが、図２に示した上記実施の形態２に係る情報配信システムを基礎として本実施の形態３に係る発明を適用することも可能である。
このように本実施の形態３に係る情報配信システムによれば、情報配信機器１４の伝送信号変調部２００、情報復号部２０１、情報記憶部２０２、及び制御部２０３がそれぞれ正常状態であるか異常状態であるかが、入力機器１５の状態情報表示部４０３に表示される。そのため、情報配信機器１４の異常を早急に発見することができ、より安定した運営を行うことができる。
４．実施の形態４
第４図は、本発明の実施の形態４に係る情報配信システムの構成を示すブロック図である。入力機器１７は、入力部４０１の出力に接続された呼び出し解析手段６１１と、呼び出し解析手段６１１に入出力相互に接続された回線接続手段６１２と、呼び出し解析手段６１１の出力に接続された状態情報表示部４０３とを有している。但し、上記実施の形態２と同様に、入力機器１７が情報入力部４０２をさらに有する構成としてもよい。
情報配信機器１６は、上記実施の形態３と同様の伝送信号変調部２００、情報復号部２０１、情報記憶部２０２、制御部２０３、及び入力部２０４と、電話回線によって回線接続手段６１２に接続された回線接続手段２０６と、回線接続手段６０２及び制御部２０３とそれぞれ入出力相互に接続された呼び出し解析手段６０１とを有している。
以下、第４図に示した本実施の形態４に係る情報配信システムの動作について説明する。ここでは、上記実施の形態１と同様に、情報Ａに関する映像・音声がディスプレイモニタ１００及びスピーカ１０１に表示・再生されている状況において、利用者が情報Ａとは異なる情報Ｂの提供を希望した場合の動作を説明する。情報出力機器１０による情報Ａに関する映像・音声の出力動作は上記実施の形態１と同様であるため、ここでの説明は省略する。
利用者は、入力機器１７の有する入力部４０１に、情報Ｂの提供を希望する旨を表す信号Ｓ９を入力する。入力部４０１は、信号Ｓ９を受けて、提供する情報を情報Ｂに切り換える旨を表す信号Ｓ１０を出力する。呼び出し解析手段６１１は、入力部４０１から信号Ｓ１０を入力し、信号Ｓ１０を、電話の呼び出しベルを所定回数（ここでは３回とする）鳴らす旨を表す信号Ｓ４１に変換して出力する。回線接続手段６１２は、呼び出し解析手段６１１から信号Ｓ４１を入力する。そして、電話回線によって情報配信機器１６の回線接続手段６０２に接続して、電話の呼び出しベルを３回鳴らす。これは、回線接続手段６１２から電話回線を介して回線接続手段６０２に、電話の呼び出しベルを３回鳴らす旨を表す制御信号Ｓ４２が入力されたことに等しい。
情報配信機器１６の有する回線接続手段６０２は、電話の呼び出しベルが３回鳴ったという事実を電気的に検出し、信号Ｓ４３として出力する。呼び出し解析手段６０１は、回線接続手段６０２から信号Ｓ４３を入力する。そして、信号Ｓ４３の内容を解析することにより、「制御信号Ｓ４３は、提供する情報を情報Ｂに切り換える旨を表す信号である」と判断する。そしてその判断の結果を、提供する情報を情報Ｂに切り換える旨を表す信号Ｓ４４として出力する。制御部２０３は、呼び出し解析手段６０１から信号Ｓ４４を入力する。そして、信号Ｓ４４の記述内容に基づいて、情報Ｂの出力命令を表す信号Ｓ３を出力する。
その後、上記実施の形態１と同様の動作により、情報Ｂに関する映像・音声信号が情報記憶部２０２から読み出されて情報出力機器１０に伝送される。これにより、ディスプレイモニタ１００には情報Ｂに関する映像が表示され、スピーカ１０１からは情報Ｂに関する音声が再生される。
また、本実施の形態４に係る情報配信システムにおいても、上記実施の形態３と同様に、伝送信号変調部２００、情報復号部２０１、及び情報記憶部２０２は、それぞれ自らの状態を常に監視し、自らが正常状態であるか異常状態であるかを示す状態情報信号Ｓ３１，Ｓ３２，Ｓ３３をそれぞれ出力する。制御部２０３は、伝送信号変調部２００、情報復号部２０１、及び情報記憶部２０２から、状態情報信号Ｓ３１，Ｓ３２，Ｓ３３をそれぞれ入力する。また、制御部２０３は、自らが正常状態であるか異常状態であるかを常に監視する。そして、制御部２０３は、伝送信号変調部２００、情報復号部２０１、情報記憶部２０２、及び自らの状態を示す状態情報信号Ｓ３４を生成して出力する。
呼び出し解析手段６０１は、制御部２０３から状態情報信号Ｓ３４を入力する。そして、状態情報信号Ｓ３４の内容を解析し、その内容（即ち、伝送信号変調部２００等の故障状況）に応じて、信号Ｓ４６の内容を異ならせて出力する。例えば信号Ｓ４６は、「電話の呼び出しベルを最初に５回鳴らし、次に３０秒後に３回鳴らす」旨を表す信号である。回線接続手段６０２は、呼び出し解析手段６０１から信号Ｓ４６を入力する。そして、電話回線によって入力機器１７の有する回線接続手段６１２に接続して、電話の呼び出しベルを最初に５回鳴らし、次に３０秒後に３回鳴らす。これは、回線接続手段６０２から電話回線を介して回線接続手段６１２に、「電話の呼び出しベルを最初に５回鳴らし、次に３０秒後に５回鳴らす」旨を表す制御信号Ｓ４７が入力されたことに等しい。
入力機器１７の有する回線接続手段６１２は、電話の呼び出しベルが最初に５回鳴り、その３０秒後に３回鳴ったという事実を電気的に検出し、信号Ｓ４８として出力する。呼び出し解析手段６１１は、回線接続手段６１２から信号Ｓ４８を入力する。そして、信号Ｓ４８の内容を解析することにより、状態情報信号Ｓ３４に対応する状態情報信号Ｓ３６を再生して出力する。状態情報表示部４０３は、呼び出し解析手段６１１から状態情報信号Ｓ３６を入力し、伝送信号変調部２００、情報復号部２０１、情報記憶部２０２、及び制御部２０３がそれぞれ正常状態であるか異常状態であるかを表示する。状態情報表示部４０３で表示された情報は、利用者に提供される。
このように本実施の形態４に係る情報配信システムによれば、情報配信機器１６と入力機器１７との間を繋ぐ通信回線として電話回線を利用した。そのため、既存の設備を利用した簡易な構成により、上記実施の形態１〜３に係る情報配信システムを構築することが可能となる。
しかも、情報配信機器１６の有する回線接続手段６０２と、入力機器１７の有する回線接続手段６１２との間では、電話の呼び出しベルの呼び出しパターンによって制御信号Ｓ４２，Ｓ４７の送受信を行う構成としたため、通信費の削減を図ることもできる。
５．実施の形態５
第５図は、本発明の実施の形態５に係る情報配信システムの構成を示すブロック図である。入力機器１９は既存の電話機であり、利用者が操作可能な入力部４５１と、電話回線を介して入力機器１９を情報配信機器１８に接続するための回線接続手段６６１とを有している。
情報配信機器１８は、上記実施の形態１と同様の伝送信号変調部２００、情報復号部２０１、情報記憶部２０２、制御部２０３、及び入力部２０４と、電話回線を介して回線接続手段６６１に接続された回線接続手段６５２と、回線接続手段６５２からの電話の呼び出し音を集音するマイク６５１と、マイク６５１で集音された音声を解析し、制御信号Ｓ１２に変換する制御信号生成部６５３とを有している。
以下、第５図に示した本実施の形態５に係る情報配信システムの動作について説明する。ここでは、上記実施の形態１と同様に、情報Ａに関する映像・音声がディスプレイモニタ１００及びスピーカ１０１に表示・再生されている状況において、利用者が情報Ａとは異なる情報Ｂの提供を希望した場合の動作を説明する。情報出力機器１０による情報Ａに関する映像・音声の出力動作は上記実施の形態１と同様であるため、ここでの説明は省略する。
利用者は、入力機器１９の有する入力部４５１に、情報Ｂの提供を希望する旨を表す信号Ｓ９を入力する。具体的には、「情報Ｂに切り換えるためには呼び出しベルを３回鳴らす」旨の案内を電話番号とともに入力機器１９に表示しておき、利用者はその案内に従って、電話回線を接続して呼び出しベルを３回鳴らした後、電話回線を切断する。これにより、情報配信機器１８の有する回線接続手段６５２において、電話の呼び出しベルが３回鳴らされる。
回線接続手段６５２で鳴った電話の呼び出し音は、マイク６５１によって集音され、マイク６５１は、電話の呼び出しベルが３回鳴った旨を表す信号Ｓ５２を出力する。制御信号生成部６５３は、マイク６５１から信号Ｓ５２を入力する。そして、信号Ｓ５２の内容を解析することにより、「信号Ｓ５２は、提供する情報を情報Ｂに切り換える旨を表す信号である」と判断して、提供する情報を情報Ｂに切り換える旨を表す制御信号Ｓ１２を出力する。制御部２０３は、制御信号生成部６５３から制御信号Ｓ１２を入力する。そして、制御信号Ｓ１２の記述内容に基づいて、情報Ｂの出力命令を表す信号Ｓ３を出力する。
その後、上記実施の形態１と同様の動作により、情報Ｂに関する映像・音声信号が情報記憶部２０２から読み出されて情報出力機器１０に伝送される。これにより、ディスプレイモニタ１００には情報Ｂに関する映像が表示され、スピーカ１０１からは情報Ｂに関する音声が再生される。
このように本実施の形態５に係る情報配信システムによれば、情報配信機器１８と入力機器１９との間を繋ぐ通信回線として既存の電話回線を利用し、入力機器１９として既存の電話機を利用した。そのため、システム全体としてコストの低減を図ることができる。
この発明は詳細に説明されたが、上記した説明は、すべての局面において、例示であって、この発明がそれに限定されるものではない。例示されていない無数の変形例が、この発明の範囲から外れることなく想定され得るものと解される。
【図面の簡単な説明】
第１図は、本発明の実施の形態１に係る情報配信システムの構成を示すブロック図である。
第２図は、本発明の実施の形態２に係る情報配信システムの構成を示すブロック図である。
第３図は、本発明の実施の形態３に係る情報配信システムの構成を示すブロック図である。
第４図は、本発明の実施の形態４に係る情報配信システムの構成を示すブロック図である。
第５図は、本発明の実施の形態５に係る情報配信システムの構成を示すブロック図である。
第６図は、従来の情報表示システムの構成を示すブロック図である。
【図１】
2002033861.tif 000003
【図２】
2002033861.tif 000004
【図３】
2002033861.tif 000005
【図４】
2002033861.tif 000006
【図５】
2002033861.tif 000007
【図６】
2002033861.tif 000008
【国際調査報告】
2002033861.tif 000009
2002033861.tif 000010
2002033861.tif 000011